(57)【要約】【課題】温水ユニットが通信不良でも水熱交換器を破損すること無くデフロストを行う。【解決手段】室内空気熱交換器(４１,４２)と水熱交換器(９)を有する温水ユニット(２)とが接続可能であり、室外空気熱交換器(６)を有する室外機(１)と、上記室外空気熱交換器(６)と上記水熱交換器(９)との間の冷媒流を制御する第１電動弁(７)と、上記室外空気熱交換器(６)と上記室内空気熱交換器(４１,４２)との間の冷媒流を制御する第２電動弁（４３,４４)と、上記室外空気熱交換器(６)の逆サイクルデフロスト運転を行う制御装置(１３)とを備え、上記制御装置(１３)は、上記温水ユニット(２)と上記室内空気熱交換器(４１,４２)とのうちの一方が通信不良の場合には、上記第１電動弁(７)と上記第２電動弁(４３,４４)とのうちの上記一方に接続されている電動弁を全閉にして上記逆サイクルデフロスト運転を行う。【選択図】図１
2015152174.tif 000002
【特許請求の範囲】
【請求項１】
室内空気熱交換器(４１,４２)が接続可能であり、且つ水熱交換器(９)を有する温水ユニット(２)が接続可能であって、室外空気熱交換器(６)を有する室外機(１)と、
上記室外空気熱交換器(６)と上記水熱交換器(９)との間に介設されて、上記室外空気熱交換器(６)と上記水熱交換器(９)との間の冷媒の流れを制御する第１電動弁(７)と、
上記室外空気熱交換器(６)と上記室内空気熱交換器(４１,４２)との間に介設されて、上記室外空気熱交換器(６)と上記室内空気熱交換器(４１,４２)との間の冷媒の流れを制御する第２電動弁(４３,４４)と、
上記室外空気熱交換器(６)の逆サイクルデフロスト運転を行う制御装置(１３)と
を備え、
上記制御装置(１３)は、上記温水ユニット(２)と上記室内空気熱交換器(４１,４２)とのうちの一方と、正常な通信を行うことができない場合には、上記第１電動弁(７)と上記第２電動弁(４３,４４)とのうち、上記温水ユニット(２)と上記室内空気熱交換器(４１,４２)とのうちの上記一方に接続されている電動弁を全閉にして上記逆サイクルデフロスト運転を行う
ことを特徴とする温水システム。
【請求項２】
請求項１に記載の温水システムにおいて、
上記制御装置(１３)は、上記室外機(１)への上記温水ユニット(２)の接続を一旦認識した後に、上記温水ユニット(２)との通信を正常に行うことができなくなった場合には、上記第１電動弁(７)を全閉にして上記逆サイクルデフロスト運転を行う
ことを特徴とする温水システム。
【請求項３】
請求項２に記載の温水システムにおいて、
上記制御装置(１３)は、上記温水ユニット(２)との通信を正常に行うことができなくなった後に、上記正常に行うことができなかった通信が正常に復帰して、上記室外機(１)への上記温水ユニット(２)または新たな室内空気熱交換器の接続を認識した場合には、上記第１電動弁(７)の全閉を解除して上記接続が認識された機器に応じた開度にして上記逆サイクルデフロスト運転を行う
ことを特徴とする温水システム。
【発明の詳細な説明】
【技術分野】
【０００１】
この発明は、温水ユニットおよび室内機を接続可能な室外機を含む温水システムに関する。
【背景技術】
【０００２】
温水ユニットおよび室内機を接続可能な室外機を含む温水システムとして、特開２００６‐４６６９２号公報(特許文献１)に開示されたヒートポンプ式空気調和機がある。
【０００３】
上記特許文献１に開示された従来のヒートポンプ式空気調和機においては、暖房運転中における水熱交換器の水温が１５℃よりも高い場合には、室内用電動膨張弁を全閉(または小開度)にして冷房サイクルで冷媒を循環させて除霜(熱媒熱回収デフロストモード)する。また、１５℃以下で１０℃以上の場合には、上記室内用電動膨張弁および床暖房用電動膨張弁を制御開度にして冷房サイクルで除霜(通常デフロストモード)する。また、１０℃未満の場合には、上記床暖房用電動膨張弁を全閉(または小開度)にして冷房サイクルで除霜(室内熱回収デフロストモード)するようにしている。
【０００４】
しかしながら、上記従来の特許文献１に開示されたヒートポンプ式空気調和機においては、床暖房用電動膨張弁と水熱交換器と水循環経路とを含む床暖ユニットおよび室内用電動膨張弁と室内熱交換器と室外熱交換器と冷媒系統回路とを含む暖房ユニットが共に正常状態であり、且つ上記床暖ユニットおよび上記暖房ユニットと制御装置との間の通信が正常状態の場合には、問題は無い。ところが、上述の通信状態が異常となった場合には、以下のような問題がある。
【０００５】
例えば、上記床暖ユニットにおいて上記水熱交換器で生成された温水を床暖房機器に送出するポンプに異常が発生し、尚且つ上記床暖ユニットと上記制御装置との間の通信が通信不良の場合には、上記ポンプが異常停止していることが上記制御装置に通知されないので、上記ポンプは停止したままである。
【０００６】
そして、上記水熱交換器の水温が１０℃以上の場合には、上記床暖房用電動膨張弁が開いている。そのため、上記冷房サイクル(以下、逆サイクルと言う)では、低温の冷媒が上記床暖房用電動膨張弁に流れ込むことになる。その場合には、上記水熱交換器内の水が上記ポンプによって上記水熱交換器外に排出されないため、低温冷媒との長時間に亘る熱交換によって凍結し、膨張して上記水熱交換器が破裂してしまう恐れがあるという問題がある。
【０００７】
また、上記水熱交換器の水温が１５℃よりも高い場合には、上記室内用電動膨張弁を全閉するようにしている。したがって、上記室内用電動膨張弁を増し締めする場合にはカチカチという音が発生し、この音が配管を介して常時(通信状態が正常であるか異常であるかに係わらず)各室に伝達されるためにユーザに不快感を与えるという問題もある。
【先行技術文献】
【特許文献】
【０００８】
【特許文献１】特開２００６‐４６６９２号公報
【発明の概要】
【発明が解決しようとする課題】
【０００９】
そこで、この発明の課題は、温水ユニットとの通信不良が生じた場合でも水熱交換器を破損すること無くデフロストを行うことが可能な温水システムを提供することにある。
【課題を解決するための手段】
【００１０】
上記課題を解決するため、この発明の温水システムは、
室内空気熱交換器が接続可能であり、且つ水熱交換器を有する温水ユニットが接続可能であって、室外空気熱交換器を有する室外機と、
上記室外空気熱交換器と上記水熱交換器との間に介設されて、上記室外空気熱交換器と上記水熱交換器との間の冷媒の流れを制御する第１電動弁と、
上記室外空気熱交換器と上記室内空気熱交換器との間に介設されて、上記室外空気熱交換器と上記室内空気熱交換器との間の冷媒の流れを制御する第２電動弁と、
上記室外空気熱交換器の逆サイクルデフロスト運転を行う制御装置と
を備え、
上記制御装置は、上記温水ユニットと上記室内空気熱交換器とのうちの一方と、正常な通信を行うことができない場合には、上記第１電動弁と上記第２電動弁とのうち、上記温水ユニットと上記室内空気熱交換器とのうちの上記一方に接続されている電動弁を全閉にして上記逆サイクルデフロスト運転を行う
ことを特徴としている。
【００１１】
上記構成によれば、上記温水ユニットと上記室内空気熱交換器とのうちの正常な通信を行うことができない方に接続されている電動弁を全閉にして、上記逆サイクルデフロスト運転を行うようにしている。
【００１２】
したがって、上記全閉される電動弁に接続されている機器が上記温水ユニットである場合には、上記逆サイクルデフロスト運転時に、上記温水ユニットの上記水熱交換器に冷媒が供給されないため、上記水熱交換器内の水が凍結して上記水熱交換器が破裂するのを防止することができる。
【００１３】
また、上記全閉される電動弁に接続されている機器が上記室内空気熱交換器である場合には、電動弁を増し締めする際に音を発生するのは通信異常の上記室内空気熱交換器のみであり、通信が正常な上記室内空気熱交換器は該当しない。したがって、上記電動弁の全閉時に発生する音を少なくすることができる。
【００１４】
また、一実施の形態の温水システムでは、
上記制御装置は、上記室外機への上記温水ユニットの接続を一旦認識した後に、上記温水ユニットとの通信を正常に行うことができなくなった場合には、上記第１電動弁を全閉にして上記逆サイクルデフロスト運転を行う。
【００１５】
上記逆サイクルデフロスト運転時に、上記温水ユニットの上記水熱交換器で生成された冷水を搬送するポンプが正常に機能している状態で、上記ポンプが異常停止し、尚且つ上記制御部との間の通信が途絶えた場合には、上記ポンプの異常停止が上記制御装置に通知されてはいない。したがって、水が循環していない上記水熱交換器に低温の冷媒が流れ込んだ場合には上記水熱交換器内の水が凍結し、膨張して上記水熱交換器が破裂する恐れがある。
【００１６】
この実施の形態によれば、上記逆サイクルデフロスト運転時に、上記第１電動弁を全閉にするので上記温水ユニットの上記水熱交換器に冷媒が供給されない。そのため、上記水熱交換器内の水が凍結して上記水熱交換器が破裂するのを防止できる。
【００１７】
また、一実施の形態の温水システムでは、
上記制御装置は、上記温水ユニットとの通信を正常に行うことができなくなった後に、上記正常に行うことができなかった通信が正常に復帰して、上記室外機への上記温水ユニットまたは新たな室内空気熱交換器の接続を認識した場合には、上記第１電動弁の全閉を解除して上記接続が認識された機器に応じた開度にして上記逆サイクルデフロスト運転を行う。
【００１８】
この実施の形態によれば、上記温水ユニットとの通信不良が正常に復帰し、その後、上記室外機への機器の接続が認識された場合には、上記第１電動弁の全閉を解除して上記接続が認識された機器に応じた開度で上記逆サイクルデフロスト運転が行われる。したがって、上記水熱交換器と上記室内空気熱交換器との配管および配線が互いに入れ替わって誤接続された状態で上記制御装置と上記温水ユニットとの通信が正常に行われた後に、上記配管および配線が正常に接続し直された場合(つまり、通信不良となった場合)において、通信が正常に戻った後の正常に接続された上記水熱交換器に応じて上記第１電動弁の開度を制御して、上記「通常逆サイクルデフロスト」を行うことが可能になる。
【００１９】
あるいは、上記温水ユニットを一旦上記室外機に接続して上記制御装置が上記温水ユニットを認識した後に、上記温水ユニットが異常となったために取り外し(つまり、通信不良となり)、新たな室内機と入れ換えた場合において、リセットスイッチの押圧や試運転を行った場合に上記制御装置が上記新たな室内機を認識することによって、以後は、上記新たな室内機を、室内機として取り扱うことが可能になる。
【発明の効果】
【００２０】
以上より明らかなように、この発明の温水システムは、上記温水ユニットと上記室内空気熱交換器とのうちの通信不良な方に接続されている電動弁を全閉にして、上記逆サイクルデフロスト運転を行うようにしている。
【００２１】
したがって、上記全閉される電動弁に接続されている機器が上記温水ユニットである場合には、上記逆サイクルデフロスト運転時に、上記温水ユニットにおける蒸発器として機能している上記水熱交換器に冷媒が供給されないため、上記水熱交換器内の水が凍結して上記水熱交換器が破裂するのを防止することができる。すなわち、この発明によれば、上記温水ユニットとの通信不良が生じた場合であっても、上記水熱交換器を破損すること無く逆サイクルデフロストを行うことが可能になるのである。
【００２２】
また、上記全閉される電動弁に接続されている機器が上記室内空気熱交換器である場合には、電動弁を増し締めする際に音を発生するのは通信不良の上記室内空気熱交換器のみであり、通信が正常な上記室内空気熱交換器は該当しない。したがって、上記電動弁の全閉時に発生する音を少なくすることができる。
【図面の簡単な説明】
【００２３】
【図１】この発明の温水システムにおける概略構成を示す図である。
【図２】デフロスト動作のフローチャートである。
【図３】図２に続くデフロスト動作のフローチャートである。
【発明を実施するための形態】
【００２４】
以下、この発明を図示の実施の形態により詳細に説明する。図１は、本実施の形態の温水システムにおける概略構成を示す図である。
【００２５】
本温水システムは、室外機１と、この室外機１に接続された温水ユニット２と、室外機１に接続された上記室内空気熱交換器である第１,第２室内熱交換器４１,４２とを備えている。
【００２６】
上記室外機１は、圧縮機４,四路弁５,室外熱交換器６,第１電動膨張弁７,第２電動膨張弁４３,第３電動膨張弁４４およびアキュムレータ８を有している。上記電動弁である第１電動膨張弁７の一端側には、上記室外空気熱交換器としての室外熱交換器６の一端側が接続されている。また、四路弁５の切り替えによって、暖房運転時には、圧縮機４は、吸入側が室外熱交換器６の他端側に接続されると共に、吐出側がプレート式水熱交換器９の一端側に接続されている。一方、冷房運転時には、圧縮機４は、吸入側がプレート式水熱交換器９の一端側に接続されると共に、吐出側が室外熱交換器６の他端側に接続される。
【００２７】
また、上記室外機１は、例えばサーミスタからなる第１〜第３温度センサ１０〜１２を有している。
【００２８】
上記第１温度センサ１０は、圧縮機４と四路弁５との間の冷媒の温度を検出する。第２温度センサ１１は、室外熱交換器６に取り付けられて、室外熱交換器６内の冷媒の温度を検出する。第３温度センサ１２は、室外熱交換器６の近傍に配置されて、外気温を検出する。
【００２９】
上記第１室内熱交換器４１は、その一端が上記電動弁である第２電動膨張弁４３を介して室外熱交換器６に接続される一方、他端が四路弁５に接続されている。また、第２室内熱交換器４２は、その一端が上記電動弁である第３電動膨張弁４４を介して室外熱交換器６に接続される一方、他端が四路弁５に接続されている。
【００３０】
そして、上記室外熱交換器６,圧縮機４,プレート式水熱交換器９および第１電動膨張弁７は順に連結されて第１冷媒回路を構成している。また、室外熱交換器６,圧縮機４,第１室内熱交換器４１および第２電動膨張弁４３は順に連結されて第２冷媒回路を構成している。また、室外熱交換器６,圧縮機４,第２室内熱交換器４２および第３電動膨張弁４４は順に連結されて第３冷媒回路を構成している。
【００３１】
また、上記第１電動膨張弁７とプレート式水熱交換器９との間の冷媒の温度を検出する例えばサーミスタからなる第４温度センサ４５と、第２電動膨張弁４３と第１室内熱交換器４１との間の冷媒の温度を検出する第５温度センサ４６と、第３電動膨張弁４４と第２室内熱交換器４２との間の冷媒の温度を検出する第６温度センサ４７とを有している。
【００３２】
さらに、上記四方弁５とプレート式水熱交換器９との間の冷媒の温度を検出する例えばサーミスタからなる第７温度センサ４８と、四方弁５と第１室内熱交換器４１との間の冷媒の温度を検出する第８温度センサ４９と、四方弁５と第２室内熱交換器４２との間の冷媒の温度を検出する第９温度センサ５０とを有している。
【００３３】
さらに、上記第１室内熱交換器４１には、第１室内熱交換器４１内の冷媒の温度を検出する例えばサーミスタからなる第１０温度センサ５１が取り付けられる。また、第１室内熱交換器４１の近傍には、室温を検出する第１１温度センサ５２が配置されている。同様に、第２室内熱交換器４２には、第２室内熱交換器４２内の冷媒の温度を検出する第１２温度センサ５３が取り付けられる。また、第２室内熱交換器４２の近傍には、室温を検出する第１３温度センサ５４が配置されている。
【００３４】
ここで、上記室外機１には、上記第１〜第１３温度センサ１０〜１２,４５〜５４が検出した温度を示す信号を受ける上記制御装置である室外制御装置１３が搭載されている。この室外制御装置１３は、上記各温度センサ１０〜１２,４５〜５４からの検出値に基づいて、プレート式水熱交換器９および第１,第２室内熱交換器４１,４２の熱交換効率が最適となるように、圧縮機４のインバータ(図示せず)を制御すると共に、第１電動膨張弁７および第２,第３電動膨張弁４３,４４の開度を制御する。さらに、室外制御装置１３は、図示しない信号線を介して温水ユニット２の制御部１４に接続されている。
【００３５】
上記温水ユニット２は、プレート式水熱交換器９,膨張タンク１５,循環ポンプ１６,往きヘッダ２１,戻りヘッダ２２および第１〜第４熱動弁２３〜２６を有している。
【００３６】
上記プレート式水熱交換器９は、上記第１冷媒回路の凝縮器または蒸発器として機能する。このプレート式水熱交換器９には、室外機１からの冷媒が流れる流路と、屋内に設置されている床冷暖房パネル２７,２８からの戻り水が流れる流路とが設けられている。また、膨張タンク１５は、正負圧弁が付けられており、プレート式水熱交換器９からの温水または冷水が溜められる。さらに、膨張タンク１５の上部には給水口１５aが設けられており、給水口１５aから膨張タンク１５内に水が必要時に補充可能になっている。
【００３７】
上記循環ポンプ１６は、吸入側が膨張タンク１５に接続される一方、吐出側が往きヘッダ２１の供給口２１aに接続されている。これにより、循環ポンプ１６は、プレート式水熱交換器９を通過する冷媒と熱交換した温水または冷水を、往きヘッダ２１に接続された床冷暖房パネル２７,２８に送ることができる。
【００３８】
また、上記温水ユニット２は、例えばサーミスタからなる第１,第２水温センサ１７,１８と、例えばサーミスタからなる冷媒温センサ１９と、圧力センサ２０と、制御部１４とを有している。
【００３９】
上記第１水温センサ１７は、プレート式水熱交換器９から床冷暖房パネル２７,２８に向って流れる温水または冷水の温度を検出する。第２水温センサ１８は、床冷暖房パネル２７,２８からプレート式水熱交換器９へ向かって流れる温水または冷水の温度を検出する。冷媒温センサ１９は、第１電動膨張弁７とプレート式水熱交換器９との間の冷媒の温度を検出する。圧力センサ２０は、プレート式水熱交換器９の近傍に配置され、四路弁５とプレート式水熱交換器９との間の冷媒の圧力を検出し、この圧力を示す信号を制御部１４に送出する。
【００４０】
上記制御部１４は、上記床冷暖房パネル２７,２８の設定温度を示す信号等を室外制御装置１３に送出する。また、制御部１４は、室外制御装置１３からの指示信号や、第１,第２水温センサ１７,１８が検出する温水または冷水の温度等に基づいて、循環ポンプ１６および第１〜第４熱動弁２３〜２６等を制御する。
【００４１】
上記往きヘッダ２１には、第１〜第４熱動弁２３〜２６の一端が接続されている。そして、第１,第２熱動弁２３,２４の他端には、第１,第２床冷暖房パネル２７,２８の水入口が接続されている。戻りヘッダ２２には、第１,第２床冷暖房パネル２７,２８の水出口が接続されている。また、戻りヘッダ２２の戻し口２２aには、プレート式水熱交換器９が接続されている。そして、循環ポンプ１６から吐出された温水または冷水は、往きヘッダ２１へ供給される。また、第１,第２床冷暖房パネル２７,２８から戻された温水または冷水は、戻りヘッダ２２に供給される。こうして、第１,第２床冷暖房パネル２７,２８からの温水または冷水がプレート式水熱交換器９に戻って、水が水回路２９を循環できるようになっている。
【００４２】
上記第１,第２床冷暖房パネル２７,２８は、蛇行形状に形成されると共に、プレート式水熱交換器９から温水または冷水が供給される水循環パイプ３０,３１を有している。
【００４３】
上記第１室内熱交換器４１は、上記第２冷媒回路における凝縮器または蒸発器として機能する。同様に、上記第２室内熱交換器４２は、上記第３冷媒回路における凝縮器または蒸発器として機能する。
【００４４】
上記温水システムは、以下のように動作する。
【００４５】
先ず、暖房運転時には、上記圧縮機４から吐出された冷媒は、四路弁５を通過して、一部はプレート式水熱交換器９内へ流入し、他は第１,第２室内熱交換器４１,４２に流入する。すなわち、プレート式水熱交換器９および第１,第２室内熱交換器４１,４２には高温高圧の冷媒が供給される。
【００４６】
そして、上記プレート式水熱交換器９において水と熱交換されて凝縮した低温高圧の冷媒は、第１電動膨張弁７によって膨張されて減圧され、室外熱交換器６で室外空気から吸熱して蒸発した後、四路弁５およびアキュムレータ８を通過して圧縮機４に戻る。その際に、プレート式水熱交換器９を流れる水は、上記冷媒との熱交換によって温水となり、循環ポンプ１６によって第１,第２床冷暖房パネル２７,２８に向かって送出される。
【００４７】
このような暖房運転時に、リモコン(図示せず)等からの通信によって、第１,第２床冷暖房パネル２７,２８の温度が設定されると、制御部１４は、室外ユニット１の室外制御装置１３と連携して、第１,第２床冷暖房パネル２７,２８の温度が設定温度になるように第１,第２熱動弁２３,２４のオン・オフ動作を制御する。
【００４８】
また、上記第１,第２室内熱交換器４１,４２において室内の空気と熱交換されて凝縮した冷媒は、第２,第３電動膨張弁４３,４４によって膨張して減圧され、室外熱交換器６で室外の空気から吸熱して蒸発した後、四路弁５およびアキュムレータ８を通過して圧縮機４に戻る。
【００４９】
次に、冷房運転時には、上記圧縮機４から吐出された冷媒は、四路弁５を通過して室外熱交換器６に供給され、室外の空気との熱交換によって凝縮される。この凝縮した冷媒の一部は、第１電動膨張弁７で減圧されてプレート式水熱交換器９内へ流入し、他は第２,第３電動膨張弁４３,４４で減圧されて第１,第２室内熱交換器４１,４２に流入する。すなわち、プレート式水熱交換器９および第１,第２室内熱交換器４１,４２には低温低圧の冷媒が供給される。
【００５０】
そして、上記プレート式水熱交換器９において水から吸熱して蒸発した冷媒は、四路弁５およびアキュムレータ８を通過して圧縮機４に戻る。その際に、プレート式水熱交換器９内を流れる水は、上記冷媒との熱交換によって冷水となり、第１,第２の床冷暖房パネル２７,２８に向かって流れる。
【００５１】
このような冷房運転時に、上記リモコンからの通信によって、第１,第２床冷暖房パネル２７,２８の温度が設定されると、制御部１４は、室外ユニット１の室外制御装置１３と連携して、第１,第２床冷暖房パネル２７,２８の温度が設定温度になるように、第１,第２熱動弁２３,２４のオン・オフ動作を制御する。
【００５２】
また、上記第１,第２室内熱交換器４１,４２において室内の空気から吸熱して蒸発した冷媒は、四路弁５およびアキュムレータ８を通過して圧縮機４に戻る。
【００５３】
ところで、上記暖房運転時において、室外熱交換器６内の冷媒の温度を検出する第２温度センサ１１によって検知された温度に基づいて、室外制御装置１３は、室外熱交換器６に霜が付着しているか否かを判断する。そして、付着していると判断された場合には、室外制御装置１３のデフロフト運転制御部１３aによって、以下のようなデフロフト運転(除霜運転)が実行される。
【００５４】
先ず、上記温水ユニット２の制御部１４および第１,第２室内熱交換器４１,４２の制御部(図示せず)と、室外機１の室外制御装置１３との間の通信が正常に行われており、且つ室外機１に接続されている各機器が正常状態である場合には、温水ユニット２を動作状態にすると共に、冷房サイクルで冷媒を循環させて除霜を行う逆サイクルデフロストを実行する。その場合、第１,第２室内熱交換器４１,４２において、室外制御装置１３が制御していない室内熱交換器(つまり、動作を制御する上記制御部が室外制御装置１３との通信を行っていない室内熱交換器)がある場合に、その室内熱交換器に対応した電動膨張弁を全閉すると、冷媒や油が溜まって圧縮機４が焼けたりガス欠になって能力が出なくなる恐れがある。そこで、第２,第３電動膨張弁４３,４４を少し開けるようにしている。以下、このようなデフロスト動作を「通常逆サイクルデフロスト」と言う。
【００５５】
これに対し、上記室外機１の室外制御装置１３と温水ユニット２の制御部１４との間の通信が、正常に通信を行った後に、通信不良となった場合には、室外制御装置１３は、室外熱交換器６とプレート式水熱交換器９との間の冷媒の流れを制御する第１電動膨張弁７を全閉にした後に、上記逆サイクルデフロストを実行する。この場合におけるデフロスト熱は、第１室内熱交換器４１および第２室内熱交換器４２から回収される。
【００５６】
例えば、上記温水ユニット２の循環ポンプ１６が正常に機能している状態で、循環ポンプ１６が異常停止し、尚且つ室外制御装置１３との間の通信が途絶えた場合には、循環ポンプ１６の異常停止が室外制御装置１３に通知されてはいない。したがって、逆サイクルデフロスト時に、水が循環していないプレート式水熱交換器９に低温の冷媒が流れ込んでプレート式水熱交換器９内の水が凍結し、膨張してプレート式水熱交換器９が破裂してしまう恐れがある。しかしながら、本実施の形態においては第１電動膨張弁７を全閉にしているため、プレート式水熱交換器９に冷媒が供給されず、プレート式水熱交換器９内の水が凍結して破裂することを防止することができる。
【００５７】
さらに、上記第１室内熱交換器４１に対応する第２電動膨張弁４３および第２室内熱交換器４２に対応する第３電動膨張弁４４は、全閉されていないので、増し締め時の音を発生することがない。したがって、増し締め時の音を発生するのは、第１電動膨張弁７のみとなり、電動膨張弁の全閉時に発生する音を少なくすることができる。
【００５８】
尚、上記第１室内熱交換器４１用または第２室内熱交換器４２用の上記制御部との間の通信が通信不良となった場合も同様であり、第１室内熱交換器４１用の上記制御部が通信不良となった場合には第２電動膨張弁４３を全閉した後に、または、第２室内熱交換器４２用の上記制御部が通信不良となった場合には第３電動膨張弁４４を全閉した後に、上記逆サイクルデフロストを実行するのである。この場合におけるデフロスト熱はプレート式水熱交換器９から回収される。
【００５９】
したがって、増し締め時の音を発生するのは通信不良となった室内熱交換器用の電動膨張弁のみとなり、電動膨張弁の全閉時に発生する音を少なくすることができる。
【００６０】
また、上記室外機１の室外制御装置１３は、上述のように温水ユニット２の制御部１４との間の通信が不良となった後、制御部１４との通信が復帰した際に、温水ユニット２の接続を認識した場合には、プレート式水熱交換器９に対応付けられている電動膨張弁(つまり第１電動膨張弁７)を動作開度にして、上記「通常逆サイクルデフロスト」を行う。また、新たな室内熱交換器を認識した際には、当該新たな室内熱交換器に対応付けられている電動膨張弁(つまり第１電動膨張弁７)を、冷媒や油が溜まらない程度に開けて(全閉しないで)上記「通常逆サイクルデフロスト」を行う。
【００６１】
こうして、上記室外機１の室外制御装置１３と温水ユニット２の制御部１４との間の通信が復帰した場合には、接続が認識された機器に対応する電動膨張弁を開けて(全閉しない)、上記「通常逆サイクルデフロスト」を行うのである。
【００６２】
こうすることによって、例えば、上記プレート式水熱交換器９と第１室内熱交換器４１との配管および配線が互いに入れ替わって誤接続された状態で、室外機１の室外制御装置１３と温水ユニット２の制御部１４との間の通信が正常に行われた後に、上記配管と配線とを入れ換えて正常に接続された場合(つまり、通信不良となった場合)であっても、各通信が正常状態に復帰した後は、配管および配線の接続が正常なプレート式水熱交換器９をプレート式水熱交換器９と認識して、上記「通常逆サイクルデフロスト」を行うことが可能になる。
【００６３】
また、上述のことは、故障した温水ユニット２を取り外して室内機に入れ換えた場合にも適用可能である。すなわち、温水ユニット２を一旦室外機１に接続して室外制御装置１３が温水ユニット２を認識した後に、温水ユニット２が異常となったために取り外し(つまり、通信不良となり)、新たな室内機と入れ換える。そうした後に、リセットスイッチの押圧や試運転を行った場合に室外機１の室外制御装置１３が上記新たな室内機を認識することによって、以後は、上記温水ユニット２と入れ換えられた新たな室内機が、室内機として取り扱われるのである。
【００６４】
図２および図３は、上記室外機１における室外制御装置１３およびデフロフト運転制御部１３aによって実行されるデフロスト動作のフローチャートである。以下、図２および図３に従って、上記デフロスト動作について詳細に説明する。
【００６５】
本温水システムの電源がオンされて上記室外制御装置１３の動作が開始されると、デフロスト動作がスタートする。
【００６６】
ステップＳ1で、上記室外制御装置１３によって、温水ユニット２の制御部１４および第１,第２室内熱交換器４１,４２の上記制御部との通信が、正常に行える否かが判別される。その結果、正常であればステップＳ2に進む。ステップＳ2で、室外制御装置１３によって、第２温度センサ１１による検知温度が取得される。ステップＳ3で、取得された上記検知温度はデフロスト突入温度Ｔ0よりも低いか否かが判別される。その結果、Ｔ0よりも低い場合にはステップＳ4に進み、デフロフト運転制御部１３aによる処理に移行する。
【００６７】
ステップＳ4で、上記デフロフト運転制御部１３aによって、温水ユニット２の制御部１４との通信状態が正常状態を維持しているか否かが判別される。その結果、正常状態であればステップＳ6に進み、正常状態ではない通信不良である場合にはステップＳ5に進む。ステップＳ5で、第１電動膨張弁７が全閉にされて逆サイクルデフロストが開始される。こうして、循環ポンプ１６が故障で停止している場合におけるプレート式水熱交換器９内の水の凍結による破裂が防止される。そうした後、ステップＳ11に進む。
【００６８】
ステップＳ6で、上記デフロフト運転制御部１３aによって、第１室内熱交換器４１の上記制御部との通信状態が正常であるか否かが判別される。その結果、正常であればステップＳ8に進み、正常でなければステップＳ7に進む。ステップＳ7で、第２電動膨張弁４３が全閉にされて、逆サイクルデフロストが開始される。そうした後に、ステップＳ18に進む。
【００６９】
ステップＳ8で、上記デフロフト運転制御部１３aによって、第２室内熱交換器４２の上記制御部との通信状態が正常であるか否かが判別される。その結果、正常であればステップＳ10に進み、正常でなければステップＳ9に進む。ステップＳ9で、第３電動膨張弁４４が全閉にされて、逆サイクルデフロストが開始される。そうした後に、ステップＳ18に進む。
【００７０】
ステップＳ10で、総ての通信が正常であるので、上記「通常逆サイクルデフロスト」が開始される。ステップＳ11で、正常でなかった温水ユニット２の制御部１４との通信が正常に復帰されたか否かが判別される。その結果、復帰されていなければステップＳ12に進む一方、復帰されていればステップＳ14に進む。ステップＳ12で、室外制御装置１３によって、第２温度センサ１１による検知温度が取得される。ステップＳ13で、デフロフト運転制御部１３aによって、上記検知温度はデフロスト脱出温度Ｔ1よりも高いか否かが判別される。その結果、Ｔ1よりも高い場合にはステップＳ20に進む一方、Ｔ1以下の場合には上記ステップＳ11に戻る。そして、上記ステップＳ11において復帰されていると判別されるとステップＳ14に進む。
【００７１】
ステップＳ14で、上記デフロフト運転制御部１３aによって、上記室外制御装置１３が温水ユニット２を認識したか否かが判別される。その結果、認識している場合にはステップＳ15に進み、認識していない場合にはステップＳ16に進む。ステップＳ15で、プレート式水熱交換器９に対応付けられている電動膨張弁(第１電動膨張弁７)の全閉が解除されて動作開度にされる。そうした後、ステップＳ18に進む。
【００７２】
ステップＳ16で、上記デフロフト運転制御部１３aによって、室外制御装置１３が新たな室内熱交換器を認識したか否かが判別される。その結果、認識している場合にはステップＳ17に進み、認識していない場合にはステップＳ18に進む。ステップＳ17で、当該新たな室内熱交換器に対応付けられている電動膨張弁(第１電動膨張弁７)の全閉が解除され、冷媒や油が溜まらない程度に開かれる。そうした後、ステップＳ18に進む。
【００７３】
このようにして、通信不良であった上記室外機１の室外制御装置１３と温水ユニット２との通信が復帰した場合には、第１電動膨張弁７を、接続が認識された機器に応じた開度に設定して、上記「通常逆サイクルデフロスト」を行うのである。
【００７４】
ステップＳ18で、上記室外制御装置１３によって、第２温度センサ１１による検知温度が取得される。ステップＳ19で、デフロフト運転制御部１３aによって、上記検知温度はデフロスト脱出温度Ｔ1よりも高いか否かが判別される。その結果、Ｔ1よりも高い場合にはステップＳ20に進む一方、Ｔ1以下の場合にはステップＳ18に戻る。
【００７５】
ステップＳ20で、上記デフロフト運転制御部１３aによって、室外熱交換器６内の冷媒の温度がデフロスト脱出温度Ｔ1よりも高くなったので、デフロスト動作が終了される。そうした後、上記ステップＳ1にリターンする。
【００７６】
尚、本実施の形態においては、上記室外機１と温水ユニット２とが別体に形成され、室外機１の室外制御装置１３と温水ユニット２の制御部１４とは通信線で接続されており、室外制御装置１３と制御部１４とは上記通信線を介して情報を送受信するように構成されている。しかしながら、この発明は、これに限定されるものではない。例えば温水ユニット２が室外機１上に載置されて一体に構成され、室外制御装置１３と制御部１４とはマイコン通信によって情報を送受信するように構成しても一向に舞わない。
【００７７】
また、本実施の形態においては、上記デフロスト動作を実行する制御装置を、室外機１の室外制御装置１３で構成している。しかしながら、この発明はこれに限定されるものではなく、室外機１とは独立した制御装置で構成することも可能である。
【符号の説明】
【００７８】
１…室外機、
２…温水ユニット、
４…圧縮機、
５…四路弁、
６…室外熱交換器、
７,４３,４４…第１〜第３電動膨張弁、
９…プレート式水熱交換器、
１０〜１２,４５〜５４…第１〜第１３温度センサ、
１３…室外制御装置、
１３a…デフロフト運転制御部、
１４…制御部、
１５…膨張タンク、
１６…循環ポンプ、
１７,１８…第１,第２水温センサ、
１９…冷媒温センサ、
２０…圧力センサ、
２１…往きヘッダ、
２２…戻りヘッダ、
２３〜２６…第１〜第４熱動弁、
２７,２８…床冷暖房パネル、
２９…水回路、
３０,３１…水循環パイプ、
４１,４２…第１,第２室内熱交換器。
【図１】
2015152174.tif 000003
【図２】
2015152174.tif 000004
【図３】
2015152174.tif 000005